(57)【要約】【課題】信頼性の高い真贋判定が可能な画像記録物を提供する。【解決手段】画像記録装置では、基材９上に有色インクにて有色画像９５が記録され、鱗片状顔料を含む第１特定インクにてセキュリティ画像９６が記録され、透明の第２特定インクにて組成情報画像９７が記録される。組成情報画像９７は、所定条件下で可視化可能であり、セキュリティ画像９６の第１特定インクの組成情報を示す。印刷物９０の真贋判定では、組成情報画像９７が示す組成情報と、組成分析により取得されるセキュリティ画像９６のインクの組成とが一致することにより印刷物９０が真正品であると判定される。このように、画像記録装置では、信頼性の高い真贋判定が可能な印刷物９０を提供することが実現される。【選択図】図９
2013173267.tif 000002
【特許請求の範囲】
【請求項１】
画像記録方法であって、
ａ）有色の画像記録材料にて可視画像が記録された基材を準備する工程と、
ｂ）前記基材上に透明の画像記録材料にて不可視画像を記録する工程と、
を備え、
前記不可視画像が、所定条件下で可視化可能であり、前記基材上の特定の画像記録材料の組成情報を示すことを特徴とする画像記録方法。
【請求項２】
請求項１に記載の画像記録方法であって、
前記不可視画像が、前記組成情報を符号化または暗号化した情報を示すことを特徴とする画像記録方法。
【請求項３】
請求項１または２に記載の画像記録方法であって、
前記組成情報が、前記基材上の前記不可視画像とは異なる画像における画像記録材料の組成を示すことを特徴とする画像記録方法。
【請求項４】
請求項１ないし３のいずれかに記載の画像記録方法であって、
前記不可視画像が、紫外線または赤外線の照射により可視化可能であることを特徴とする画像記録方法。
【請求項５】
請求項１ないし４のいずれかに記載の画像記録方法であって、
ｃ）前記ａ）工程の後に、前記基材上に他の画像記録材料にて複写牽制画像を記録する工程をさらに備え、
前記他の画像記録材料が、前記透明の画像記録材料よりも光沢度が高い透明材料、または、鱗片状顔料を含む材料であることを特徴とする画像記録方法。
【請求項６】
請求項１ないし５のいずれかに記載の画像記録方法であって、
前記ｂ）工程において、前記透明の画像記録材料である透明インクの微小液滴が吐出部から前記基材に向けて吐出されることを特徴とする画像記録方法。
【請求項７】
画像記録物の真贋判定方法であって、
請求項１ないし６のいずれかに記載の画像記録方法にて不可視画像が記録された画像記録物における前記不可視画像を可視化することにより、前記不可視画像が示す組成情報を取得する工程と、
前記画像記録物が含む特定の画像記録材料の組成を組成分析により取得する工程と、
前記組成情報と前記特定の画像記録材料の組成とを比較することにより、前記画像記録物の真贋を判定する工程と、
を備えることを特徴とする画像記録物の真贋判定方法。
【請求項８】
画像記録装置であって、
有色の画像記録材料にて可視画像が記録された基材を保持する保持部と、
前記基材上に透明の画像記録材料にて不可視画像を記録する画像記録部と、
を備え、
前記不可視画像が、所定条件下で可視化可能であり、前記基材上の特定の画像記録材料の組成情報を示すことを特徴とする画像記録装置。
【請求項９】
画像記録物であって、
基材と、
有色の画像記録材料にて前記基材上に記録された可視画像と、
透明の画像記録材料にて前記基材上に記録された不可視画像と、
を備え、
前記不可視画像が、所定条件下で可視化可能であり、前記基材上の特定の画像記録材料の組成情報を示すことを特徴とする画像記録物。
【発明の詳細な説明】
【技術分野】
【０００１】
本発明は、画像記録方法、画像記録物の真贋判定方法、画像記録装置および画像記録物に関する。
【背景技術】
【０００２】
近年、印刷された画像上に透明インクを重ねて塗布することにより、印刷物の表面に光沢性をもたせることが行われている。例えば、特許文献１では、記録媒体上に着色インクにて記録された印字層の上に、クリアインクによるオーバーコート層を形成して光沢感（質感）を制御する技術が開示されている。
【０００３】
また、印刷物の偽造を防止する様々な手法も提案されており、例えば、特許文献２では、１つの記録媒体の表面上に、市場で見て認識できるオバート領域と、特別の器具を使わないと認識できないコバート領域とを設ける技術が開示されている。オバート領域は、色変化インクや液晶インクを用いて印刷される。また、コバート領域には、蛍光インクや燐光インクのように紫外線を照射することで発光する透明インクによりパターンが印刷される。
【先行技術文献】
【特許文献】
【０００４】
【特許文献１】特開２００４−３１４３５０号公報
【特許文献２】国際公開第２００３／０５３７０８号
【発明の概要】
【発明が解決しようとする課題】
【０００５】
ところで、特許文献２のように画像記録物においてコバート領域を設ける場合でも、当該コバート領域が複製された場合には、当該画像記録物が真正品であるか否かの判定が困難となる。したがって、信頼性の高い真贋判定が可能な新規な画像記録物が求められている。
【０００６】
本発明は上記課題に鑑みなされたものであり、信頼性の高い真贋判定が可能な画像記録物を提供することを目的としている。
【課題を解決するための手段】
【０００７】
請求項１に記載の発明は、画像記録方法であって、ａ）有色の画像記録材料にて可視画像が記録された基材を準備する工程と、ｂ）前記基材上に透明の画像記録材料にて不可視画像を記録する工程とを備え、前記不可視画像が、所定条件下で可視化可能であり、前記基材上の特定の画像記録材料の組成情報を示す。
【０００８】
請求項２に記載の発明は、請求項１に記載の画像記録方法であって、前記不可視画像が、前記組成情報を符号化または暗号化した情報を示す。
【０００９】
請求項３に記載の発明は、請求項１または２に記載の画像記録方法であって、前記組成情報が、前記基材上の前記不可視画像とは異なる画像における画像記録材料の組成を示す。
【００１０】
請求項４に記載の発明は、請求項１ないし３のいずれかに記載の画像記録方法であって、前記不可視画像が、紫外線または赤外線の照射により可視化可能である。
【００１１】
請求項５に記載の発明は、請求項１ないし４のいずれかに記載の画像記録方法であって、ｃ）前記ａ）工程の後に、前記基材上に他の画像記録材料にて複写牽制画像を記録する工程をさらに備え、前記他の画像記録材料が、前記透明の画像記録材料よりも光沢度が高い透明材料、または、鱗片状顔料を含む材料である。
【００１２】
請求項６に記載の発明は、請求項１ないし５のいずれかに記載の画像記録方法であって、前記ｂ）工程において、前記透明の画像記録材料である透明インクの微小液滴が吐出部から前記基材に向けて吐出される。
【００１３】
請求項７に記載の発明は、画像記録物の真贋判定方法であって、請求項１ないし６のいずれかに記載の画像記録方法にて不可視画像が記録された画像記録物における前記不可視画像を可視化することにより、前記不可視画像が示す組成情報を取得する工程と、前記画像記録物が含む特定の画像記録材料の組成を組成分析により取得する工程と、前記組成情報と前記特定の画像記録材料の組成とを比較することにより、前記画像記録物の真贋を判定する工程とを備える。
【００１４】
請求項８に記載の発明は、画像記録装置であって、有色の画像記録材料にて可視画像が記録された基材を保持する保持部と、前記基材上に透明の画像記録材料にて不可視画像を記録する画像記録部とを備え、前記不可視画像が、所定条件下で可視化可能であり、前記基材上の特定の画像記録材料の組成情報を示す。
【００１５】
請求項９に記載の発明は、画像記録物であって、基材と、有色の画像記録材料にて前記基材上に記録された可視画像と、透明の画像記録材料にて前記基材上に記録された不可視画像とを備え、前記不可視画像が、所定条件下で可視化可能であり、前記基材上の特定の画像記録材料の組成情報を示す。
【発明の効果】
【００１６】
本発明によれば、信頼性の高い真贋判定が可能な画像記録物を提供することができる。
【図面の簡単な説明】
【００１７】
【図１】画像記録装置の構成を示す図である。
【図２】画像記録装置の機能構成を示すブロック図である。
【図３】有色画像を示す図である。
【図４】セキュリティ画像を示す図である。
【図５】組成情報画像を示す図である。
【図６】各画像が記録される基材上の領域を示す図である。
【図７】画像を記録する動作の流れを示す図である。
【図８】対象画像および閾値マトリクスを示す図である。
【図９】印刷物を示す図である。
【図１０】印刷物の真贋を判定する処理の流れを示す図である。
【発明を実施するための形態】
【００１８】
図１は、本発明の一の実施の形態に係る画像記録装置１の構成を示す図である。画像記録装置１は、複数の基材に対してインクジェット方式によるカラー印刷を順次行う枚葉式の印刷装置である。本実施の形態では、基材は印刷用紙である。
【００１９】
図１に示すように、画像記録装置１は、複数の基材９を図１中の（＋Ｙ）方向である移動方向に移動する移動機構２、移動機構２による搬送途上の基材９に向けてインクの微小液滴を吐出する吐出部３、移動機構２に基材９を供給する供給部５１、印刷終了後の基材９を移動機構２から受け取る排出部５２、並びに、これらの機構を制御する制御部４を備える。画像記録装置１では、吐出部３から吐出されて基材９に付与されるインク（例えば、水性インク）が、基材９上に画像を記録する画像記録材料である。なお、インクは、水性インク以外に紫外線硬化インクや、溶剤インク、固体インクであってもよい。
【００２０】
移動機構２は、それぞれが１枚のシート状の基材９を吸着保持する複数のステージ２１、複数のステージ２１を案内する環状のガイド２２、および、ガイド２２内のベルトを図１中における反時計回りに移動させるベルト駆動機構（図示省略）を備え、ベルト駆動機構により、基材９を保持するステージ２１が吐出部３の下方（すなわち、（−Ｚ）側）において（＋Ｙ）方向に移動する。
【００２１】
吐出部３は、それぞれが複数の吐出口からインクの微小液滴を吐出する６個の吐出機構３０ａ〜３０ｄ，３１，３２を備える。吐出機構３０ａ〜３０ｄ，３１，３２は図１中のＹ方向に配列される。吐出部３において、図１中の最も（−Ｙ）側に位置する吐出機構３０ａはＫ（ブラック）の有色インク（着色インクとも呼ばれる。）を吐出し、吐出機構３０ａの（＋Ｙ）側の吐出機構３０ｂはＣ（シアン）の有色インクを吐出し、吐出機構３０ｂの（＋Ｙ）側の吐出機構３０ｃはＭ（マゼンタ）の有色インクを吐出し、吐出機構３０ｃの（＋Ｙ）側の吐出機構３０ｄはＹ（イエロー）の有色インクを吐出する。
【００２２】
また、吐出機構３０ｄの（＋Ｙ）側の吐出機構３１は、鱗片状顔料を含むインク（例えば、パール顔料やコレステリック液晶等を含むインクであり、以下、「第１特定インク」という。）を吐出し、図１中の最も（＋Ｙ）側に位置する吐出機構３２は、透明の画像記録材料である透明インク（以下、「第２特定インク」という。）を吐出する。本実施の形態では、可視光下では透明であり、かつ、紫外線が照射されることにより発光して可視化する不可視インクが第２特定インクとして利用される。なお、第１特定インクも有色であるが、鱗片状顔料を含む特殊なインクであるため、通常のカラーインクであるＫ，Ｃ，Ｍ，Ｙのインクと区別している。以下の説明では、吐出機構３０ａ〜３０ｄを「有色インク吐出機構３０ａ〜３０ｄ」と呼び、吐出機構３１を「第１特定インク吐出機構３１」と呼び、吐出機構３２を「第２特定インク吐出機構３２」と呼ぶ。もちろん、吐出部３において、他の色の有色インクを吐出する吐出機構が設けられてもよい。
【００２３】
画像記録装置１では、基材９の移動方向（Ｙ方向）に垂直なＸ方向に関して、吐出部３の吐出機構３０ａ〜３０ｄ，３１，３２が基材９の幅全体に亘って（すなわち、Ｘ方向の全長に亘って）設けられる。そして、基材９の（＋Ｙ）方向への１回の相対移動により、吐出機構３０ａ〜３０ｄ，３１，３２が基材９上の各位置を１回だけ通過して基材９に対する印刷が完了する（すなわち、シングルパスにより印刷が完了する。）。
【００２４】
図２は、画像記録装置１の機能構成を示すブロック図である。制御部４は、各種演算を行う演算部４０、および、吐出部３や移動機構２等の各構成を制御する本体制御部１０を備える。演算部４０は、画像メモリ４１、複数のマトリクス記憶部４２、並びに、比較器４３（ハーフトーン化回路）を備える。画像メモリ４１は、Ｋ，Ｃ，Ｍ，Ｙの有色画像を示す有色画像データ４１０、セキュリティ画像を示すセキュリティ画像データ４１１、および、組成情報画像を示す組成情報画像データ４１２を記憶する。これらの画像については後述する。
【００２５】
複数のマトリクス記憶部４２は、Ｋ，Ｃ，Ｍ，Ｙの複数の色成分用の閾値マトリクス、セキュリティ画像用の閾値マトリクス、および、組成情報画像用の閾値マトリクスを記憶する。各閾値マトリクスは、複数の閾値の２次元配列にて構成される。なお、マトリクス記憶部４２は、ＳＰＭ（Screen Pattern Memory）とも呼ばれる。比較器４３は、各画像データが示す画像と閾値マトリクスとを比較する比較部である。本実施の形態では、比較器４３は、演算部４０がプログラムを実行することによりソフトウェアとして実現されるが、全体的または部分的に専用の電気回路が利用されてもよい。本体制御部１０は、移動機構２による基材９の吐出部３に対する相対移動を制御する移動制御部１０２、および、基材９の相対移動に同期して吐出部３からのインクの吐出を制御する吐出制御部１０１を備える。
【００２６】
ここで、画像記録装置１にて記録される有色画像、セキュリティ画像および組成情報画像について述べる。図３ないし図５はそれぞれ、有色画像、セキュリティ画像および組成情報画像の一例を示す図である。Ｋ，Ｃ，Ｍ，Ｙの有色画像は、例えば、図３に示すようなイラストである。有色画像は、自然画像、人物画像等を含む画像であってもよい。セキュリティ画像は、例えば、図４に示すような企業のロゴである。セキュリティ画像は、企業や個人の名称、複写を禁止する警告や印刷物が認証されたものであることを示すメッセージ、紋様、暗号文字列、２次元コード、バーコード等を含む画像であってもよい。
【００２７】
組成情報画像は、例えば、図５に示すような２次元コードである。当該２次元コードは、「パール顔料、平均粒径５μｍ」や「コレステリック液晶、平均粒径１０μｍ」等のように、第１特定インク吐出機構３１から吐出される第１特定インクの組成情報を示す。本実施の形態では、組成情報が顔料の平均粒径の情報を含んでいる。また、第１特定インクが他の物質を溶媒中に含む場合には、当該組成情報は、当該物質の名称（例えば、「クリアニス」）も示し、さらに、第１特定インクが有色のインクと鱗片状顔料とを調合したインクである場合には、当該組成情報は、当該有色のインクに含まれる物質である「カーボンブラック」、「アンモニウム塩」、「ポリエステル樹脂」等の名称も含む。組成情報画像は、当該組成情報を符号化または暗号化した情報を示す画像であるならば、バーコードや暗号文字列等を含む画像であってもよい。基材９上には、図６に示すように、有色画像、セキュリティ画像および組成情報画像がそれぞれ記録される有色画像領域９２、セキュリティ画像領域９３および組成情報画像領域９４が予め設定される。
【００２８】
次に、画像記録装置１が画像を記録する動作の詳細について図７を参照しつつ説明する。画像記録装置１では、まず、外部のコンピュータから有色画像データ４１０、セキュリティ画像データ４１１および組成情報画像データ４１２が入力され、演算部４０の画像メモリ４１にて記憶されて準備される（ステップＳ１１）。有色画像データ４１０が示す画像、セキュリティ画像データ４１１が示す画像、および、組成情報画像データ４１２が示す画像のそれぞれでは、後述するように複数の画素が２次元配列される。以下の説明では、これらの画像データにおいて、画像が０〜２５５の階調範囲にて表現されるものとする。
【００２９】
続いて、有色画像データがＫ，Ｃ，Ｍ，Ｙの各色成分に分版され、比較器４３において各色成分の画像を対応する閾値マトリクスと比較することにより、当該色成分の有色画像を示す網点画像データが生成される。また、セキュリティ画像データ４１１が示す画像を対応する閾値マトリクスと比較することによりセキュリティ画像を示す網点画像データが生成され、さらに、組成情報画像データ４１２が示す画像を対応する閾値マトリクスと比較することにより組成情報画像を示す網点画像データが生成される（ステップＳ１２）。実際には、比較器４３に、Ｋ，Ｃ，Ｍ，Ｙの各色成分の画像データ、セキュリティ画像データ４１１、および、組成情報画像データ４１２に対応する複数の比較部が用意され、これらの画像データに対して網点化処理が並行して行われる。以下、Ｋ，Ｃ，Ｍ，Ｙの各色成分の画像データ、セキュリティ画像データ４１１、および、組成情報画像データ４１２を「対象画像データ」と総称して、対象画像データの網点化処理について述べる。
【００３０】
図８は、対象画像データが示す対象画像７０および閾値マトリクス７１０を抽象的に示す図である。対象画像７０および閾値マトリクス７１０のそれぞれでは、Ｘ方向に対応する行方向（図８中にてｘ方向として示す。）、および、行方向に垂直な列方向（図８中にてｙ方向として示す。）に複数の画素または複数の要素が配列されている。
【００３１】
対象画像データの網点化、すなわち、ハーフトーン化の際には、図８に示すように対象画像７０が示す全体の領域を同一の大きさの多数の領域に分割してハーフトーン化の単位となる繰り返し領域７１が設定される。マトリクス記憶部４２は１つの繰り返し領域７１に相当する記憶領域を有し、この記憶領域の各アドレス（座標）に閾値が設定されることにより閾値マトリクス７１０を記憶している。そして、概念的には対象画像７０の各繰り返し領域７１と閾値マトリクス７１０とを重ね合わせ、繰り返し領域７１の各画素の階調値（画素値）と閾値マトリクス７１０の対応する閾値とが比較されることにより、基材９上のその画素の位置に記録（当該色のドットの形成）を行うか否かが決定される。
【００３２】
したがって、多階調の対象画像７０において、階調値が閾値マトリクス７１０の対応する閾値よりも大きい位置には、例えば、値「１」が付与され（すなわち、ドットが置かれ）、残りの画素には値「０」が付与され（すなわち、ドットは置かれず）、２値の出力画像データが網点画像データとして生成される。以上の処理により、Ｋ，Ｃ，Ｍ，Ｙの各色成分の有色画像を示す網点画像データ、セキュリティ画像を示す網点画像データ、および、組成情報画像を示す網点画像データが生成される。
【００３３】
網点画像データが生成されると、図１に示す供給部５１から、保持部であるステージ２１上に基材９が供給されて保持され、移動機構２により（＋Ｙ）方向に移動する。そして、有色画像を示す網点画像データに従って、吐出部３の有色インク吐出機構３０ａ〜３０ｄが制御部４により制御されることにより、ステージ２１上の基材９に向けてＫ，Ｃ，Ｍ，Ｙの有色インクの微小液滴が吐出され、基材９の主面上に有色インクのドットが順次記録される。これにより、図９に示すように有色画像９５が基材９の主面９１上に記録される（ステップＳ１３）。また、セキュリティ画像を示す網点画像データに従って第１特定インク吐出機構３１が制御されることにより、ステージ２１上の基材９に向けて第１特定インクの微小液滴が吐出され、有色画像９５上に第１特定インクのドットが順次記録される。これにより、セキュリティ画像９６が有色画像９５上に記録される（ステップＳ１４）。さらに、組成情報画像を示す網点画像データに従って第２特定インク吐出機構３２が制御されることにより、ステージ２１上の基材９に向けて第２特定インクの微小液滴が吐出され、有色画像９５上に第２特定インクのドットが順次記録される。これにより、組成情報画像９７が有色画像９５上に記録され、画像記録物である印刷物９０が作成される（ステップＳ１５）。図９では、透明な組成情報画像９７を二点鎖線の矩形にて示している。
【００３４】
実際には、有色画像９５、セキュリティ画像９６および組成情報画像９７の記録（ステップＳ１３〜Ｓ１５）は、部分的に並行して行われる。基材９においてセキュリティ画像９６または組成情報画像９７が記録される部位のみに着目すると、上記ステップＳ１３は、主面９１上に有色画像が記録された基材９を準備する処理として捉えることができ、当該処理の後に、セキュリティ画像９６および組成情報画像９７が記録される。
【００３５】
有色画像９５、セキュリティ画像９６および組成情報画像９７が記録された印刷物９０は、排出部５２により回収される。画像記録装置１では、複数の基材９に対する上述の印刷（すなわち、画像の記録）が順次行われる。
【００３６】
ここで、セキュリティ画像９６は鱗片状顔料を含む第１特定インクにて記録されるため、観察者がセキュリティ画像９６を見る方向等に応じて、セキュリティ画像９６の各部位の色に変化が生じる（いわゆる、カラートラベル効果）。したがって、市場に流通した印刷物９０を仮に複製しようとしても、セキュリティ画像９６を再現することは容易ではない。このように、セキュリティ画像９６は、印刷物９０の複写を牽制する複写牽制画像となり、視認可能であるが、複写が困難なオバート領域としての性質を有する。また、組成情報画像９７は、透明な蛍光インクである第２特定インクにて記録されるため、可視光下において肉眼では視認不能、または、視認困難であり、特殊な条件下（本実施の形態では、紫外線蛍光灯等により紫外線が照射されている状態）において視認可能となる。すなわち、組成情報画像９７は、所定条件下で可視化可能である不可視画像であり、コバート領域としての性質を有する。
【００３７】
次に、市場に流通した印刷物９０の真贋を判定する処理について図１０を参照しつつ説明する。既述のように、印刷物９０では、可視光下において視認可能な可視画像である有色画像９５およびセキュリティ画像９６、並びに、可視光下において視認不能、または、視認困難な不可視画像である組成情報画像９７が記録されている。真贋判定処理では、印刷物９０に対して紫外線蛍光灯（ブラックライト）等から紫外線が照射される（ステップＳ２１）。紫外線の照射により組成情報画像９７が現れない場合には（ステップＳ２２）、組成情報画像９７が存在しないため、当該印刷物が偽造品であると判定される（ステップＳ２３）。
【００３８】
一方、紫外線の照射により組成情報画像９７が現れる、すなわち、組成情報画像９７が可視化される場合には（ステップＳ２２）、組成情報画像９７が示す２次元コードを復号することにより第１特定インクの組成情報が取得される（ステップＳ２４）。続いて、印刷物９０においてセキュリティ画像９６を構成するインクの組成が、所定の組成分析（例えば、蛍光Ｘ線分析装置を用いる組成分析）により取得される（ステップＳ２５）。また、必要に応じて顔料の粒径等が顕微鏡等を用いて取得される。そして、組成情報画像９７が示す第１特定インクの組成情報と、当該組成分析により取得されるインクの組成とが照合され、両者が一致する場合には（ステップＳ２６）、当該印刷物９０が真正品であると判定される（ステップＳ２７）。両者が一致しない場合には（ステップＳ２６）、当該印刷物９０が偽造品であると判定される（ステップＳ２３）。このように、組成情報画像９７が示す第１特定インクの組成情報と、組成分析により取得されるセキュリティ画像９６のインクの組成とを比較することにより、印刷物９０の真贋が高い信頼性にて判定される。
【００３９】
以上に説明したように、画像記録装置１では、画像記録部である吐出部３により、不可視画像である組成情報画像９７が透明の第２特定インクにて基材９上に記録される。組成情報画像９７は、所定条件下で可視化可能であり、基材９上の第１特定インクの組成情報を示す。そして、印刷物９０の真贋判定では、組成情報画像９７の存在のみならず、組成情報画像９７が示す第１特定インクの組成情報と、組成分析により取得されるセキュリティ画像９６のインクの組成とが一致することにより、印刷物９０が真正品であると判定される。このように、画像記録装置１では、信頼性の高い真贋判定が可能な印刷物９０を提供することが実現される。
【００４０】
また、組成情報画像９７が、基材９上の第１特定インクの組成情報を符号化または暗号化した情報を示すため、偽造者が印刷物９０を偽造する際に組成情報画像９７の存在に気付いた場合でも、組成情報画像９７が示す内容が直接的に偽造者に知られることはない。これにより、偽造者に対して、より高度な偽造防止策が施されていることを認識させ、印刷物９０の偽造を牽制する（偽造意欲を低下させる）ことができる。また、組成情報画像９７が示す内容が偽造者に容易に知られることが防止され、印刷物９０の精巧な偽造をより困難にすることが可能となる。
【００４１】
以上、本発明の実施の形態について説明してきたが、本発明は上記実施の形態に限定されるものではなく、様々な変形が可能である。
【００４２】
組成情報画像９７が示す組成情報は、有色画像９５におけるインクの組成であってもよく、組成情報画像９７におけるインクの組成であってもよい。また、当該組成情報は、後述するトナー等、他の種類の画像記録材料の組成であってもよい。このように、組成情報画像９７は、印刷物９０が含む特定の画像記録材料の組成情報を示すものであればよく、これにより、印刷物９０において信頼性の高い真贋判定が可能となる。ただし、組成情報画像９７の記録に使用可能な材料は、ある程度限定されることを考慮すると、より信頼性の高い真贋判定を実現するには、当該組成情報が、基材９上の組成情報画像９７とは異なる画像における画像記録材料の組成を示すことが好ましい。
【００４３】
印刷物９０に求められるセキュリティのレベルによっては、組成情報画像９７が、基材９上の特定の画像記録材料の組成情報を直接的に文字列にて示す平文であってもよい。また、組成情報画像９７が特定の画像記録材料の組成情報に加えて、例えば、基材９上の有色画像９５やセキュリティ画像９６の画像特徴量（画像の幅や高さ、画像傾斜角度、文字数、文字列の段数、閉図形領域の個数等）等の他の情報を示してもよい。
【００４４】
第２特定インクは、紫外線吸収インク以外であってもよく、赤外線の照射により可視化可能なインク（赤外線吸収インク等）が第２特定インクとして用いられてもよい。また、第２特定インクが、これらのインクを調合したものであってもよい。組成情報画像９７が紫外線または赤外線の照射により可視化可能であることにより、組成情報画像９７を容易に可視化することができる。もちろん、組成情報画像が所定条件下で可視化可能となるならば、組成情報画像が他の透明の画像記録材料にて記録されてよい。
【００４５】
図９の印刷物９０では、オバート技術を利用するセキュリティ画像９６が組成情報画像９７と共に記録されるため、偽造者が組成情報画像９７の存在に気付きにくくなるが（例えば、偽造者は、セキュリティ画像９６以外の偽造防止策（組成情報画像９７）が施されているとは考えない。）、印刷物９０の用途等によっては、セキュリティ画像９６が省略され、組成情報画像９７のみが記録されてもよい。
【００４６】
セキュリティ画像９６の記録に用いられる第１特定インクは、クリアインクであってもよい。この場合、セキュリティ画像９６では、コバート技術を利用する組成情報画像９７よりも視認性が高いことが好ましいため、オバート技術用の第１特定インクは、コバート技術用の第２特定インクよりも光沢度が高い透明材料であることが好ましい。また、有色画像９５を構成する有色インクが鱗片状顔料を含んでいてもよく、このような有色画像９５はオバート技術が適用されていると捉えることができる。
【００４７】
セキュリティ画像９６および組成情報画像９７は必ずしも有色画像９５上に記録される必要はなく、基材９において有色画像９５が存在しない領域に記録されてもよい。また、セキュリティ画像９６上に組成情報画像９７が記録されてもよい。
【００４８】
有色画像９５、セキュリティ画像９６および組成情報画像９７のそれぞれは、インクの多階調のドット（すなわち、複数種類のサイズのドット）により記録されてよい。有色画像は、複数色の画像である必要はなく、１つの色の有色インクによる単色の画像であってもよい。また、セキュリティ画像９６が複数種類のインクの画像であってもよい。
【００４９】
画像記録装置１では、複数の吐出口がＹ方向に配列された吐出部３のＸ方向への往復移動と基材９の（＋Ｙ）方向への移動とが繰り返し行われることにより、基材９に対する画像記録が行われてもよい。
【００５０】
上記実施の形態では、有色画像が記録された基材９が画像記録装置１により実質的に準備されるが、別の装置（例えば、刷版を用いて画像を記録する画像記録装置や、電子写真方式の画像記録装置）により有色画像のみが記録された基材９が準備されてもよい。この場合、刷版を用いる装置では、有色のインクにより有色画像が記録され、電子写真方式の装置では、有色の画像記録材料である有色のトナーにより有色画像が記録される。このように、基材９上において有色の画像記録材料にて記録される可視画像は、様々な態様にて実現されてよい。なお、画像記録装置１では、予め有色画像が記録された基材９に向けて第１特定インクおよび第２特定インクのみが吐出され、基材９上にセキュリティ画像および組成情報画像が記録される。
【００５１】
さらに、刷版を用いる画像記録装置や、電子写真方式の画像記録装置により組成情報画像が記録されてもよい（セキュリティ画像において同様）。刷版を用いる画像記録装置では、有色画像が記録された基材が保持部にて保持され、刷版を有する画像記録部により組成情報画像が第２特定インクにて記録される。電子写真方式の画像記録装置では、例えば紫外線または赤外線の照射により可視化可能である透明トナーが画像記録材料として利用され、画像記録部を構成する感光体ドラム上に透明トナーの画像が形成され、保持部（搬送ローラ等）により保持される基材にトナー画像が転写される。
【００５２】
以上のように、信頼性の高い真贋判定が可能な画像記録物を作成する本手法は、オフセット印刷、スクリーン印刷、グラビア印刷、フレキソ印刷、レタープレス印刷等の有版印刷、および、インクジェット技術あるいは電子写真技術を用いる無版印刷にて実現することが可能である。
【００５３】
基材９は、フィルム等の撥液性を有するシート状の部材や、プラスチックにて形成される板状の部材等であってもよい。また、連続紙等である、いわゆるウェブに対して画像記録が行われてもよい。
【００５４】
上記実施の形態および各変形例における構成は、相互に矛盾しない限り適宜組み合わされてよい。
【符号の説明】
【００５５】
１    画像記録装置
３    吐出部
９    基材
２１    ステージ
９０    印刷物
９５    有色画像
９６    セキュリティ画像
９７    組成情報画像
Ｓ１３〜Ｓ１５，Ｓ２１〜Ｓ２７    ステップ
【図１】
2013173267.tif 000003
【図２】
2013173267.tif 000004
【図３】
2013173267.tif 000005
【図４】
2013173267.tif 000006
【図５】
2013173267.tif 000007
【図６】
2013173267.tif 000008
【図７】
2013173267.tif 000009
【図８】
2013173267.tif 000010
【図９】
2013173267.tif 000011
【図１０】
2013173267.tif 000012